(57)【要約】      （修正有）【課題】組み立てが容易で、かつ、外側に配置された部材の衝撃による損傷を防ぐことのできる腕時計を提供する。【解決手段】内側にムーブメントが配置される筒状のケース３１と、ケース３１の外側にねじ６０，６１，６２，６３，６４によって固定される外胴部材３５ａ，３５ｂと、を有する外装ケースであって、外胴部材３５ａ，３５ｂは、ねじ６０，６１，６２，６３，６４の端部が外胴部材３５ａ，３５ｂから突出した状態でケース３１に固定される。また、Ａボタン６５、リュウズ５０、Ｂリュウズ６６も外胴部材３５ｂから突出させる。【選択図】図８
2016176725.tif 000002
【特許請求の範囲】
【請求項１】
内側にムーブメントが配置される筒状の第１の部材と、
前記第１の部材の外側にねじによって固定される第２の部材と、を有する外装ケースであって、
前記第２の部材は、前記ねじの端部が前記第２の部材から突出した状態で前記第１の部材に固定される、
ことを特徴とする腕時計。
【請求項２】
前記第１の部材は、かんを含み、
前記第２の部材は、前記かんと前記ねじとに接する面の内側に配置される、
ことを特徴とする請求項１に記載の腕時計。
【請求項３】
前記第１の部材は、金属材料で形成され、
前記第２の部材は、セラミック材料で形成される、
ことを特徴とする請求項１または請求項２に記載の腕時計。
【請求項４】
前記第１の部材は、ベゼルを含み、
前記第２の部材は、前記ベゼルと前記ねじとに接する面の内側に配置される、
ことを特徴とする請求項１乃至請求項３のいずれか１項に記載の腕時計。
【請求項５】
内側にムーブメントが配置される筒状の第１の部材と、前記第１の部材の外側にねじにより固定される第２の部材と、を有する外装ケースと、
リュウズと、
ボタンと、
ベゼルと、
裏蓋と、を有し、
前記第２の部材は、前記ねじ、前記リュウズ、前記ボタン、前記ベゼル、前記裏蓋、前記第１の部材のいずれか２つに接する面の内側に配置される、
ことを特徴とする腕時計。
【請求項６】
内側にムーブメントが配置される外装ケースであって、複数のかんを含むケース部材と、一のかんと他のかんとの間における前記ケース部材の側面に当該側面よりも突出して取り付けられる外胴部材とを備える外装ケースと、
前記外胴部材は、突出部材が前記外胴部材から突出した状態で前記ケース部材に取り付けられ、前記かんのいずれかと前記突出部材とに接する面の内側に配置される、
ことを特徴とする腕時計。
【請求項７】
前記外装ケースはベゼルを含み、
前記外胴部材は、前記ベゼルと前記突出部材とに接する面の内側に配置される、
ことを特徴とする請求項６に記載の腕時計。
【発明の詳細な説明】
【技術分野】
【０００１】
本発明は、複数の部材で構成された時計ケースを備えた腕時計に関する。
【背景技術】
【０００２】
時計ケースとして、上下２体からなる内側金属中間部品と、無機物質で作られた外側中間部品とを備え、上下２体の内側金属中間部品で、外側中間部品を上下から挟み込むことで、外側中間部品を取り付けることが開示されている（例えば、特許文献１）。
【先行技術文献】
【特許文献】
【０００３】
【特許文献１】特表２０１０−５０５０９１号公報
【発明の概要】
【発明が解決しようとする課題】
【０００４】
しかしながら、特許文献１は、内側金属中間部品として上下２体の部品を用意する必要があるために部品点数が増え、かつ、外側中間部品を上下から挟み込む必要があるため組み立て作業が複雑になる。また、特許文献１の外側中間部品は内側金属中間部品よりも外側に突出する部分を有し、外部の部材と直接接触するため、衝撃により割れる可能性があった。
【０００５】
本発明は、上述した事情に鑑みてなされたものであり、組み立てが容易で、かつ、外側に配置された部材の衝撃による損傷を防ぐことのできる腕時計を提供することを解決課題としている。
【課題を解決するための手段】
【０００６】
以上の課題を解決するため、本発明に係る腕時計は、内側にムーブメントが配置される筒状の第１の部材と、前記第１の部材の外側にねじによって固定される第２の部材と、を有する外装ケースであって、前記第２の部材は、前記ねじの端部が前記第２の部材から突出した状態で前記第１の部材に固定される、ことを特徴とする。
【０００７】
本発明によれば、第２の部材は、ねじによって第１の部材の外側に固定されるので、組み立てが容易である。また、第２の部材は、ねじの端部が第２の部材から突出した状態で第１の部材に固定されるので、落下等により腕時計が外部の部材と接触する場合であっても、ねじの端部が外部の部材と直接接触し、第２の部材の衝撃による損傷を防ぐ。
【０００８】
上述した腕時計において、前記第１の部材は、かんを含み、前記第２の部材は、前記かんと前記ねじとに接する面の内側に配置されることが好ましい。この場合には、落下等により腕時計が外部の部材の面と接触した際に、当該面にかんとねじが接すると、第２の部材は、前記面がかんとねじに接する位置よりも内側に配置されているので前記面に直接接触することがなく、第２の部材の衝撃による損傷を防ぐ。
【０００９】
上述した腕時計において、前記第１の部材は、金属材料で形成され、前記第２の部材は、セラミック材料で形成されることが好ましい。この場合には、金属材料で形成された記第１の部材に、セラミック材料で形成された第２の部材が固定されることになり、デザインの多様性が確保される。また、損傷し易いセラミック材料で形成された第２の部材を用いても、落下等により腕時計が外部の部材と接触する際に、第２の部材と外部の部材とが直接接触せず、第２の部材の衝撃による損傷を防ぐ。
【００１０】
上述した腕時計において、前記第１の部材は、ベゼルを含み、前記第２の部材は、前記ベゼルと前記ねじとに接する面の内側に配置されることが好ましい。この場合には、落下等により腕時計が外部の部材の面と接触した際に、当該面にベゼルとねじが接すると、第２の部材は、前記面がベゼルとねじに接する位置よりも内側に配置されているので前記面に直接接触することがなく、第２の部材の衝撃による損傷を防ぐ。
【００１１】
以上の課題を解決するため、本発明に係る腕時計は、内側にムーブメントが配置される筒状の第１の部材と、前記第１の部材の外側にねじにより固定される第２の部材と、を有する外装ケースと、リュウズと、ボタンと、ベゼルと、裏蓋と、を有し、前記第２の部材は、前記ねじ、前記リュウズ、前記ボタン、前記ベゼル、前記裏蓋、前記第１の部材のいずれか２つに接する面の内側に配置される、ことを特徴とする。
【００１２】
本発明によれば、第２の部材は、ねじによって第１の部材の外側に固定されるので、組み立てが容易である。また、落下等により腕時計が外部の部材の面と接触する場合に、当該面が、ねじ、リュウズ、ボタン、ベゼル、裏蓋、第１の部材のいずれか２つに接すると、第２の部材は、前記面の内側に配置されているので前記面に直接接触することがなく、第２の部材の衝撃による損傷を防ぐ。
【００１３】
以上の課題を解決するため、本発明に係る腕時計は、内側にムーブメントが配置される外装ケースであって、複数のかんを含むケース部材と、一のかんと他のかんとの間における前記ケース部材の側面に当該側面よりも突出して取り付けられる外胴部材とを備える外装ケースと、前記外胴部材は、突出部材が前記外胴部材から突出した状態で前記ケース部材に取り付けられ、前記かんのいずれかと前記突出部材とに接する面の内側に配置される、ことを特徴とする。
【００１４】
本発明によれば、外胴部材は、一のかんと他のかんとの間におけるケース部材の側面に当該側面よりも突出して取り付けられるので、組み立てが容易である。また、落下等により腕時計が外部の部材の面と接触する場合に、当該面に突出部材とかんのいずれかとが接すると、第２の部材は、前記面の内側に配置されているので前記面に直接接触することがなく、第２の部材の衝撃による損傷を防ぐ。なお、本発明において、突出部材とは、ねじ、ボタン、リュウズ等を含む概念である。
【００１５】
上述した腕時計において、前記外装ケースはベゼルを含み、前記外胴部材は、前記ベゼルと前記突出部材とに接する面の内側に配置されることが好ましい。この場合には、落下等により腕時計が外部の部材の面と接触した際に、当該面にベゼルと突出部材が接すると、外胴部材は、前記面がベゼルと突出部材に接する位置よりも内側に配置されているので前記面に直接接触することがなく、第２の部材の衝撃による損傷を防ぐ。
【図面の簡単な説明】
【００１６】
【図１】本発明の実施形態に係る電子時計を含むＧＰＳの全体図である。
【図２】電子時計の全体を示す斜視図である。
【図３】電子時計の全体を示す６面図であり、（ａ）は平面図、（ｂ）は３時側から見た側面図、（ｃ）は１２時側から見た側面図、（ｄ）は９時側から見た側面図、（ｅ）は６時側から見た側面図、（ｆ）は底面図である。
【図４】電子時計の概略を示す部分断面図である。
【図５】電子時計の電気制御ブロック図である。
【図６】外胴部材の斜視図である。
【図７】外胴部材の平面図及び側面図であり、（ａ）は図３（ｂ）に対応する側面図、（ｂ）は図３（ａ）に対応する平面図、（ｃ）は図３（ａ）に対応する平面図、（ｄ）は図３（ｄ）に対応する側面図である。
【図８】突出部材に接する平面と外胴部材との位置関係を説明するための平面図である。
【図９】突出部材に接する平面と外胴部材との位置関係を説明するための側面図であり、（ａ）は図３（ｃ）に対応する側面図、（ｂ）は図３（ｅ）に対応する側面図である。
【図１０】電子時計の外観を示す斜視図である。
【図１１】変形例における電子時計の外観を示す平面図である。
【発明を実施するための形態】
【００１７】
以下、この発明の好適な実施の形態を、添付図面等を参照しながら詳細に説明する。ただし、各図において、各部の寸法及び縮尺は、実際のものと適宜に異ならせてある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１８】
＜実施形態＞
＜Ａ：電子時計の概要＞
図１乃至図１０を参照しつつ本発明の一実施形態について説明する。図１は、本発明の一実施形態に係る腕時計を含むＧＰＳの全体図である。本実施形態の腕時計は、電子時計であり、外部信号としての電波を用いて現在地の位置情報と時刻情報とを求める。
【００１９】
電子時計１０は、ＧＰＳ衛星８からの電波（衛星信号）を受信して内部時刻を修正する腕時計であり、腕と接触する側の面（以下、裏面）の反対側の面（以下、表面という）に時刻を表示する。ＧＰＳ衛星８は、地球の上空において、所定の軌道上を周回する航法衛星であり、１．５７５４２ＧＨｚの電波（Ｌ１波）に航法メッセージを重畳させて地上に送信している。以降の説明では、航法メッセージが重畳された１．５７５４２ＧＨｚの電波を衛星信号という。衛星信号は、右旋偏波の円偏波である。
【００２０】
現在、約３１個のＧＰＳ衛星８（図１においては、４個のみを図示）が存在しており、衛星信号がどのＧＰＳ衛星８から送信されたかを識別するために、各ＧＰＳ衛星８はＣ／Ａコード（Coarse／Acquisition Code）と呼ばれる１０２３ｃｈｉｐ（１ｍｓ周期）の固有のパターンを衛星信号に重畳する。Ｃ／Ａコードは、各ｃｈｉｐが＋１、または−１のいずれかであり、ランダムパターンのように見える。したがって、衛星信号と各Ｃ／Ａコードのパターンの相関をとることにより、衛星信号に重畳されているＣ／Ａコードを検出することができる。
【００２１】
ＧＰＳ衛星８は原子時計を搭載しており、衛星信号は原子時計で計時された極めて正確なＧＰＳ時刻情報が含まれている。また、地上のコントロールセグメントにより各ＧＰＳ衛星８に搭載されている原子時計のわずかな時刻誤差が測定されており、衛星信号にはその時刻誤差を補正するための時刻補正パラメーターも含まれている。電子時計１０は、１つのＧＰＳ衛星８から送信された衛星信号を受信し、その中に含まれるＧＰＳ時刻情報と時刻補正パラメーターとを使用して得られた正確な時刻（時刻情報）を内部時刻とする。
【００２２】
衛星信号にはＧＰＳ衛星８の軌道上の位置を示す軌道情報も含まれている。電子時計１０は、ＧＰＳ時刻情報と軌道情報とを使用して測位計算を行うことができる。測位計算は、電子時計１０の内部時刻にある程度の誤差が含まれていることを前提として行われる。すなわち、電子時計１０の三次元の位置を特定するためのｘ，ｙ，ｚパラメーターに加えて時刻誤差も未知数になる。そのため、電子時計１０は、一般的には４つ以上のＧＰＳ衛星８からそれぞれ送信された衛星信号を受信し、その中に含まれるＧＰＳ時刻情報と軌道情報を使用して測位計算を行い、現在地の位置情報を求める。
【００２３】
次に、電子時計１０の概略構成について説明する。図２は、電子時計の外観を示す斜視図であり、図３は、電子時計の外観を示す６面図である。図４は、電子時計の概略を示す部分断面図である。
なお、図３（ａ）は電子時計を表面側から見た平面図である。図３（ｂ）は３時方向から９時方向を見た側面図である。図３（ｃ）は１２時方向から６時方向を見た側面図である。図３（ｄ）は９時方向から３時方向を見た側面図である、図３（ｅ）は６時方向から１２時方向を見た側面図である。図３（ｆ）は裏面側からみた平面図である。また、本実施形態の電子時計は、ワールドタイム機能とクロノグラフ機能を備えている。
【００２４】
図２及び図３に示すように、電子時計１０は、外装ケース３０と、カバーガラス３３と、裏蓋３４とを備えている。外装ケース３０は、金属で形成された円筒状のケース３１と、セラミックで形成されたベゼル３２と、セラミックで形成された外胴部材３５ａ，３５ｂとを備えている。
【００２５】
ケース３１は、文字板１１の中心から見て１２時側の側面に、バンドを取り付けるための一対のかん３６ａ，３６ｂを備えている。また、ケース３１は、文字板１１の中心から見て６時側の側面に、バンドを取り付けるための一対のかん３７ａ，３７ｂを備えている。なお、バンドは、ストラップあるいはベルトであってもよい。
【００２６】
ベゼル３２は、電子時計１０の表面側においてケース３１に嵌合される。このベゼル３２の内周側に、プラスチックで形成されたリング状のダイヤルリング４０を介して、円盤状の文字板１１が時刻表示部分として配置されている。なお、ダイヤルリング４０及び文字板１１上の文字については図示を省略する。
【００２７】
外胴部材３５ａは、１２時側のかん３６ａと６時側のかん３７ａとの間のケース３１の側面に、ねじ６０，６１，６２により取り付けられている。また、外胴部材３５ｂは、１２時側のかん３６ｂと６時側のかん３７ｂとの間のケース３１の側面に、ねじ６３，６４により取り付けられている。
【００２８】
外胴部材３５ｂには、後述するように、ねじ６３，６４用のねじ孔以外にも、文字板１１の中心から見て２時方向の位置と４時方向の位置にボタン用孔が形成されており、３時方向の位置にリュウズ用孔が形成されている。前記２時方向の位置のボタン用孔からはＡボタン６５が突出し、前記４時方向の位置のボタン用孔からはＢボタン６６が突出し、リュウズ用孔からはリュウズ５０が突出するように設けられている。Ａボタン６５、Ｂボタン６６及びリュウズ５０が操作されることにより、操作に応じた操作信号が出力される。
【００２９】
文字板１１には、指針２１．２２，２３が備えられている。また、文字板１１には、中心より、２時方向に円形の第１小窓７０と指針７１とが、１０時方向に円形の第２小窓８０と指針８１とが、６時方向に円形の第３小窓９０と指針９１とが、４時方向に矩形のカレンダー小窓１５とが、設けられている。文字板１１、指針２１，２２，２３、第１小窓７０、第２小窓８０、第３小窓９０及びカレンダー小窓１５などは、カバーガラス３３を透かして、視認可能となっている。
【００３０】
図４に示すように、電子時計１０は、金属製の外装ケース３０の２つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング４０と、光透過性の文字板１１と、文字板１１を貫通した指針軸２５と、指針軸２５を中心に周回する指針２１，２２，２３と、指針２１，２２，２３を駆動する駆動機構１４０などとが備えられている。
指針軸２５は、外装ケース３０の平面視中心を通り、表裏方向に延在する中心軸に沿って設けられている。
【００３１】
ダイヤルリング４０は、外周端が、ベゼル３２の内周面に接触しているとともに、一面がカバーガラス３３と平行な平板部分と、内周端が文字板１１に接触するように、文字板１１側へ傾斜した傾斜部分を備えている。ダイヤルリング４０は、平面視においてはリング形状となっており、断面視においてはすり鉢形状となっている。ダイヤルリング４０の平板部分と、傾斜部分と、ベゼル３２の内周面と、によりドーナツ形状の収納空間が形成されており、この収納空間内には、リング状のアンテナ１１０が収納されている。
【００３２】
アンテナ１１０は、リング形状の誘電体を基材として、これに金属のアンテナパターンをメッキや銀ペースト印刷などにより形成したものである。アンテナ１１０は、文字板１１の外周に配置されており、ベゼル３２の内周面側に配置され、さらにプラスチックで形成されたダイヤルリング４０、及びカバーガラス３３で覆われているため、良好な受信を確保することが可能となっている。誘電体としては、酸化チタンなどの高周波で使える誘電材料を樹脂に混ぜて成形することができ、この誘電体の波長短縮によってアンテナを小型化できる。
【００３３】
文字板１１は、外装ケース３０の内側で時刻を表示する円形の板材であり、プラスチックなどの光透過性の材料で形成され、カバーガラス３３との間に指針２１，２２，２３などを備え、ダイヤルリング４０の内側に配置されている。
【００３４】
文字板１１と、駆動機構１４０が取り付けられているムーブメント１２５との間には、光発電を行ソーラーパネル１３５が備えられている。ソーラーパネル（太陽電池）１３５は、光エネルギーを電気エネルギー（電力）に変換する複数のソーラーセル（光発電素子）を直列接続した円形の平板である。また、ソーラーパネル１３５は、太陽光の検出機能も有している。文字板１１、ソーラーパネル１３５及びムーブメント１２５には、指針軸２５と、第１小窓７０の指針７１、第２小窓８０の指針８１及び第３小窓９０の指針９１の指針軸とが貫通する孔が形成されているとともに、カレンダー小窓１５の開口部が形成されている。なお、図４においては、第１小窓７０、指針７１、第２小窓８０、指針８１、第３小窓９０、指針９１、指針９１の指針軸、当該指針軸が貫通する孔、及びカレンダー小窓１５については図示を省略している。
【００３５】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２５を回転させることにより、指針２１，２２，２３が駆動する。また、図２、図３に示す第１小窓７０の指針７１、第２小窓８０の指針８１及び第３小窓９０の指針９１も同様の駆動機構（図示せず）を有し、各指針７１，８１，９１が駆動する。
【００３６】
回路基板１２０は、受信部（ＧＰＳモジュール）１２２、制御部１５０及びリチウムイオン電池などの二次電池１３０を備えている。二次電池１３０は、ソーラーパネル１３５が発電した電力で充電される。
また、この回路基板１２０とアンテナ１１０は、給電ピン１１５を用いて接続されている。アンテナ１１０の上面には無給電パターンが形成され、アンテナ１１０のダイヤルリング４０側の側面には給電パターンが形成されている。給電パターンには給電プレート１１４が接触しており、給電ランドとなる給電プレート１１４の底面に給電ピン１１５の一方の端部が接触している。給電ピン１１５は金属で形成されており、給電ピン１１５の他方の端部は、回路基板１２０に接触している。これにより、アンテナ１１０の給電パターンから回路基板１２０への給電が行われる。給電ピン１１５は、地板１２５に形成された貫通孔に圧入固定される。詳しくは後述する。回路基板１２０の下方には、回路基板１２０のグランド電位に接続された回路押え１２３が設けられている。
【００３７】
地板１２５は、プラスチック部品で構成されており、内部に駆動機構１４０及び二次電池１３０の取り付け部を有し、上面にはソーラーパネル１３５と文字板１１の固定部が設けられている。
【００３８】
＜Ｂ：電子時計の電気的構成＞
次に、電子時計１０の電気的構成について説明する。
図５は、電子時計の電気制御ブロック図である。図５に示すように、電子時計１０は、ＣＰＵ（中央処理装置）１５３、ＲＡＭ（Random Access Memory）１５４、ＲＯＭ（Read Only Memory）１５５を基本構成とるす制御部１５０と、受信部（ＧＰＳモジュール）１２２、入力装置１５７、駆動機構１４０の周辺装置とを備えている。これらの各装置は、データバス１５９を介してデータを送受信する。入力装置１５７は、図５に示すリュウズ５０、Ａボタン６５、Ｂボタン６６である。なお、電子時計１０は、電源となる充電可能な二次電池１３０（図４参照）を内蔵している。
【００３９】
受信部１２２は、アンテナ１１０を備え、アンテナ１１０を介して受信した衛星信号を処理してＧＰＳモ時刻情報や位置情報を取得する。アンテナ１１０は、地球の上空を所定の軌道で周回している複数のＧＰＳ衛星８（図１参照）から送信され、図４に示すカバーガラス３３とダイヤルリング４０とを通過した衛星信号の電波を受信する。
【００４０】
そして、受信部１２２は、図示を略すが、通常のＧＰＳ装置と同様に、ＧＰＳ衛星８（図１参照）から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）からＧＰＳ時刻情報や位置情報（測位情報）を取得して出力する情報取得部とを備えている。つまり、受信部１２２、ＧＰＳ衛星８から送信される衛星信号を受信し、受信結果に基づいてＧＰＳ時刻情報と位置情報とを出力する受信部として機能する。
【００４１】
ＲＦ部は、バンドパスフィルター、ＰＬＬ回路、ＩＦフィルター、ＶＣＯ（Voltage Controlled Oscillator）、ＡＤＣ（Ａ／Ｄ変換器）、ミキサー、ＬＮＡ（Low Noise Amplifier）、ＩＦアンプ等を備えている。バンドパスフィルターで抜き出された衛星信号は、ＬＮＡで増幅された後、ミキサーでＶＣＯの信号とミキシングされ、ＩＦ（Intermediate Frequency：中間周波数）にダウンコンバートされる。ミキサーでミキシングされたＩＦは、ＩＦアンプ、ＩＦフィルターを通り、ＡＤＣでデジタル信号に変換される。
【００４２】
ＢＢ部は、ＧＰＳ衛星８で送信時に使用されたものと同一のＣ／Ａコードからなるローカルコードを生成するローカルコード生成部と、ローカルコードとＲＦ部から出力される受信信号との相関値を算出する相関部とを備える。そして、相関部で算出された相関値が所定の閾値以上であれば、受信した衛星信号に用いられたＣ／Ａコードと、生成したローカルコードとが一致していることになり、衛星信号を捕捉（同期）することができる。このため、受信した衛星信号を、ローカルコードを用いて相関処理することで、航法メッセージを復調することができる。
【００４３】
情報取得部は、ＢＢ部で復調した航法メッセージからＧＰＳ時刻情報や位置情報を取得する。航法メッセージには、プリアンブルデータ及びＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星８毎の詳細な軌道情報）や、アルマナック（全ＧＰＳ衛星８の概略軌道情報）などのデータが含まれている。したがって、情報取得部は、受信した航法メッセージから所定のデータ部分を抽出することにより、ＧＰＳ時刻情報や航法情報を取得することができる。
【００４４】
ＲＡＭ１５４とＲＯＭ１５５とは、電子時計１０の記憶部である。
ＲＯＭ１５５には、ＣＰＵ１５３に実行されるプログラムやタイムゾーン情報等が記憶される。タイムゾーン情報とは、共通の標準時を使用する地域（タイムゾーン）の位置情報（緯度・経度）と、ＵＴＣに対する時差と、を管理するデータである。
ＣＰＵ１５３は、ＲＡＭ１５４を作業領域として使用し、ＲＯＭ１５５に記憶されたプログラムを実行することにより、各種の演算、制御及び計時を行う。この計時は、例えば、図示しない発振回路からの基準信号のパルス数を計数することによって行われる。
【００４５】
ＣＰＵ１５３は、ＧＰＳ時刻情報と時刻補正パラメーターとから算出した時刻情報と、ＧＰＳ時刻情報と軌道情報とから算出した現在地の位置情報（緯度、経度）と、ＲＯＭ１５５（記憶部）に記憶されたタイムゾーン情報とに基づいて内部時計を修正する。ＣＰＵ１５３は、内部時刻が表示されるように、駆動機構１４０を駆動する制御を行う。これにより、電子時計１０には、指針２２，２３，８１により内部時刻が表示される。
【００４６】
＜Ｃ：電子時計における外胴部材の詳細＞
図６乃至図１０を参照しつつ、電子時計１０における外胴部材３５ａ，３５ｂの詳細について説明する。外胴部材３５ａ，３５ｂはセラミックで形成されている。図６及び図７に示すように、外胴部材３５ａには、ねじ６０，６１，６２用のねじ孔６０ａ，６１ａ，６２ａが形成されている。また、外胴部材３５ｂには、ねじ６３，６４用のねじ孔６３ａ，６４ａと、Ａボタン６５用のボタン用孔６５ａと、Ｂボタン６６用のボタン用孔６６ａと、リュウズ５０用のリュウズ用孔５０ａとが形成されている。
【００４７】
かん３６ａとかん３７ａの間のケース３１の側面にも、ねじ孔６０ａ，６１ａ，６２ａに対応するねじ孔が形成されており、外胴部材３５ａを図８に示すように、かん３６ａとかん３７ａの間のケース３１の側面に配置し、ねじ６０，６１，６２によってねじ止めすることにより、外胴部材３５ａはケース３１に取り付けられる。また、かん３６ｂとかん３７ｂの間のケース３１の側面にも、ねじ孔６３ａ，６４ａに対応するねじ孔が形成されており、外胴部材３５ｂを図８に示すように、かん３６ｂとかん３７ｂの間のケース３１の側面に配置し、ねじ６３，６４によってねじ止めすることにより、外胴部材３５ａはケース３１に取り付けられる。その後、ボタン用孔６５ａにＡボタン６５を取り付け、ボタン用孔６６ａにＢボタン６６を取り付ける。さらに、リュウズ用孔５０ａにリュウズ５０を取り付ける。
【００４８】
Ａボタン６５、リュウズ５０、Ｂボタン６６、及びねじ６０，６１，６２は、図８に示すように、外胴部材３５ａ，３５ｂをケース３１に取り付けた際に、外胴部材３５ａ，３５ｂに対して突出する突出部材となる。
つまり、本実施形態の腕時計としての電子時計１０において、外装ケース３０は、内側にムーブメント１２５が配置される筒状の第１の部材としてのケース３１と、ケース３１の外側にねじ６０，６１，６２によって固定される第２の部材としての外胴部材３５ａとを備えている。外胴部材３５ａは、ねじ６０，６１，６２の端部が外胴部材３５ａから突出した状態でケース３１に固定される。
【００４９】
以上のように、本実施形態の腕時計としての電子時計１０においては、内側にムーブメント１２５が配置される外装ケース３０は、複数のかん３６ａ，３６ｂ，３７ａ，３７ｂを含むケース３１と、一のかん３６ａ（３６ｂ）と他のかん３７ａ（３７ｂ）との間におけるケース３１の側面に、この側面よりも突出して取り付けられる外胴部材３５ａ（３５ｂ）とを備える。
【００５０】
外胴部材３５ａと外胴部材３５ｂは、突出部材としてのＡボタン６５、リュウズ５０、Ｂボタン６６、及びねじ６０，６１，６２が外胴部材３５ａと外胴部材３５ｂから突出した状態でケース３１に取り付けられる。さらに、外胴部材３５ａと外胴部材３５ｂは、複数のかん３６ａ，３６ｂ，３７ａ，３７ｂのいずれかと、突出部材としてのＡボタン６５、リュウズ５０、Ｂボタン６６、及びねじ６０，６１，６２とに接する平面の内側に配置される。
【００５１】
例えば、図８に示すように、外胴部材３５ａは、かん３６ａとねじ６２とに接する平面Ｐ５の内側に配置されている。また、外胴部材３５ａは、かん３７ａとねじ６０とに接する平面Ｐ８の内側に配置されている。さらに、外胴部材３５ａは、ねじ６２とねじ６１とに接する平面Ｐ６の内側に配置されている。また、外胴部材３５ａは、ねじ６０とねじ６１とに接する平面Ｐ７の内側に配置されている。
言い換えれば、金属材料で形成された第１の部材としてのケース３１は、かん３６ａ（３７ａ）を含み、セラミック材料で形成された第２の部材としての外胴部材３５ａは、かん３６ａ（３７ａ）とねじ６２（６０）とに接する面Ｐ５（Ｐ８）の内側に配置される。
【００５２】
外胴部材３５ｂは、かん３６ｂとＡボタン６５とに接する平面Ｐ１の内側に配置されている。また、外胴部材３５ｂは、かん３７ｂとＢボタン６６とに接する平面Ｐ４の内側に配置されている。さらに、外胴部材３５ｂは、Ａボタン６５とリュウズ５０とに接する平面Ｐ２の内側に配置されている。また、外胴部材３５ｂは、Ｂボタン６６とリュウズ５０とに接する平面Ｐ３の内側に配置されている。
【００５３】
また、外胴部材３５ａ（３５ｂ）は、ベゼル３２と突出部材としてのねじ６０（ねじ６１，６２、Ａボタン６５、リュウズ５０、Ｂボタン６６）とに接する平面の内側に配置される。
【００５４】
例えば、図３（ｃ）に対応する図９（ａ）に示すように、外胴部材３５ａは、ベゼル３２とねじ６１とに接する平面Ｐ１４の内側に配置される。また、外胴部材３５ａは、ベゼル３２とねじ６２とに接する平面Ｐ１６の内側に配置される。さらに、外胴部材３５ａは、かん３６ａとねじ６２とに接する平面Ｐ１７の内側に配置される。なお、外胴部材３５ａは、ねじ６１と裏蓋３４とに接する平面Ｐ１５に対しては、当該平面Ｐ１５の内側には配置されていない。
【００５５】
外胴部材３５ｂは、ベゼル３２とリュウズ５０とに接する平面Ｐ１０の内側に配置される。また、外胴部材３５ｂは、ベゼル３２とＡボタン６５とに接する平面Ｐ１２の内側に配置される。さらに、外胴部材３５ｂは、かん３６ｂとＡボタン６５とに接する平面Ｐ１３の内側に配置される。また、外胴部材３５ｂは、リュウズ５０と裏蓋３４とに接する平面Ｐ１１の内側に配置されている。
【００５６】
同様に、図３（ｅ）に対応する図９（ｂ）に示すように、外胴部材３５ａは、ベゼル３２とねじ６０とに接する平面Ｐ２２の内側に配置される。また、外胴部材３５ａは、かん３６ａとねじ６０とに接する平面Ｐ２３の内側に配置される。
【００５７】
外胴部材３５ｂは、ベゼル３２とＢボタン６６とに接する平面Ｐ２０の内側に配置される。また、外胴部材３５ｂは、かん３６ｂとＢボタン６６とに接する平面Ｐ２１の内側に配置される。
【００５８】
以上のように、本実施形態の腕時計としての電子時計１０においては、内側にムーブメント１２５が配置され、かん３６ａ，３６ｂ，３７ａ，３７ｂを含む筒状の第１の部材としてのケース３１と、ケース３１の外側にねじ６０，６１，６２，６３，６４により固定される第２の部材としての外胴部材３５ａ，３５ｂとを有する外装ケース３０を備え、さらに、リュウズ５０と、Ａボタン６５と、Ｂボタン６６と、ベゼル３２と、裏蓋３４とを有し、外胴部材３５ａ，３５ｂは、ねじ６０，６１，６２，６３，６４、リュウズ５０、Ａボタン６５、Ｂボタン６６、ベゼル３２、裏蓋３４、及びケース３１のいずれか２つに接する面の内側に配置される。
【００５９】
したがって、電子時計１０を落下した時であっても、セラミック製の外胴部材３５ａ，３５ｂが衝撃を直接受けることはなくなり、衝撃に弱く割れやすいセラミックを使用しつつ耐衝撃性に優れた電子時計１０を提供することが可能となる。
なお、外胴部材３５ａは、ねじ６１と裏蓋３４とに接する平面Ｐ１５に対しては、当該平面Ｐ１５の内側には配置されていないが、実際に電子時計１０を使用する場合には、かん３６ａ，３６ｂ，３７ａ，３７ｂにバンドを取り付けるため、平面Ｐ１５に相当する外部の部材の面が外胴部材３５ａに直接接触することは殆どなく、実質的には支障はない。
【００６０】
また、多くのセラミックを使った製品は上下方向にねじ止めがされており、落下時にセラミックパーツが直接当たる形状になっているため、耐衝撃性を確保するために厚みをとる必要があった。
しかし、本実施形態の電子時計１０は、セラミック製の外胴部材３５ａ，３５ｂに直接衝撃が加わらないため、セラミック製の外胴部材３５ａ，３５ｂの厚みを薄くすることができ、結果として薄型かつ小型の電子時計１０を提供することが可能となる。
【００６１】
また、耐衝撃性を確保しつつ、かつ、薄型化及び小型化を実現しつつ、図１０に示すように、金属製の外装ケース３０の一部に、セラミック製の外胴部材３５ａ，３５ｂを設けることができるので、デザインの多様性の要求に応えることができる。
さらに、上述したように、外胴部材３５ａ，３５ｂは、ねじ６０，６１，６２，６３，６４により、ケース３１の側面にねじ止めすることができるので、取り付けの容易化を実現することができる。
【００６２】
＜変形例＞
本発明は、上述した実施形態に限定されるものではなく、例えば次に述べるような各種の変形が可能である。また、次に述べる変形の態様は、任意に選択された一または複数を、適宜に組み合わせることもできる。
【００６３】
（変形例１）
上述した実施形態においては、外胴部材３５ａ，３５ｂをセラミックで形成した場合について説明したが、本発明はこのような実施形態に限定されるものではない。例えば、金属、プラスチック、ガラス、カーボン等によって外胴部材３５ａ，３５ｂを形成するようにしてもよい。
【００６４】
（変形例２）
上述した実施形態においては、電子時計に本発明を適用した例について説明したが、本発明はこのような実施形態に限定されるものではない。例えば、機械式の腕時計にも適用可能である。
【００６５】
（変形例３）
上述した実施形態においては、断面が円形の円筒状のケース３１を備えた電子時計に本発明を適用した例について説明したが、本発明はこのような実施形態に限定されるものではない。例えば、図１１に示すような四角枠形状のケース３１を備えた腕時計にも適用可能である。図１１に示す腕時計としての電子時計１０は、かん３６ａ，３６ｂ，３７ａ，３７ｂを含むケース３１と、ケース３１の外側にねじ６０，６１，６２，６３，６４により固定される外胴部材３５ａ，３５ｂとを有する外装ケースを備える。さらに、電子時計１０は、リュウズ５０と、ベゼル３２と、裏蓋とを有し、外胴部材３５ａ，３５ｂは、ねじ６０，６１，６２，６３，６４、リュウズ５０、裏蓋３４、及びケース３１のいずれか２つに接する面の内側に配置される。したがって、本変形例においても、電子時計１０を落下した時であっても、セラミック製の外胴部材３５ａ，３５ｂが衝撃を直接受けることはなくなり、衝撃に弱く割れやすいセラミックを使用しつつ耐衝撃性に優れた電子時計１０を提供することが可能となる。
【００６６】
（変形例４）
上述した実施形態においては、外胴部材３５ｂを取り付けるために用いるねじ６３，６４よりも、Ａボタン６５、リュウズ５０、及びＢボタン６６を突出させた例について説明した。しかし、本発明はこのような実施形態に限定される訳ではない。例えば、Ａボタン６５、リュウズ５０、及びＢボタン６６よりも、ねじ６３，６４を突出させてもよい。
【００６７】
（変形例５）
上述した実施形態においては、ケース３１の一例として、金属製部材を用いた例について説明したが、本発明はこのような実施形態に限定される訳ではない。例えば、プラスチック等を用いることも可能である。
【符号の説明】
【００６８】
１０…電子時計、１１…文字板、３０…外装ケース、３１…ケース、３２…ベゼル、３３…カバーガラス、３４…裏蓋、３５ａ，３５ｂ…外胴部材、３６ａ，３６ｂ，３７ａ，３７ｂ…かん、４０…ダイヤルリング、５０…リュウズ、５０ａ…リュウズ用孔、６０，６１，６２，６３，６４…ねじ、６０ａ，６１ａ，６２ａ，６３ａ，６４ａ…ねじ孔、６５…Ａボタン、６５ａ…ボタン用孔、６６…Ｂボタン、６６ａ…ボタン用孔、１２５…ムーブメント、Ｐ１，Ｐ２，Ｐ３，Ｐ４，Ｐ５，Ｐ６，Ｐ７，Ｐ８，Ｐ１０，Ｐ１１，Ｐ１２，Ｐ１３，Ｐ１４，Ｐ１５，Ｐ１６，Ｐ１７，Ｐ２０，Ｐ２１，Ｐ２２，Ｐ２３…平面。
【図１】
2016176725.tif 000003
【図２】
2016176725.tif 000004
【図３】
2016176725.tif 000005
【図４】
2016176725.tif 000006
【図５】
2016176725.tif 000007
【図６】
2016176725.tif 000008
【図７】
2016176725.tif 000009
【図８】
2016176725.tif 000010
【図９】
2016176725.tif 000011
【図１１】
2016176725.tif 000012
【図１０】
2016176725.tif 000013